(57)【特許請求の範囲】
【請求項１】
送信パルスの周波数をキャリア周波数に変換してマッチング素子アレー部に出力する第１の変換部と、
前記マッチング素子アレー部を通過した前記送信パルスのキャリア周波数を元の周波数に変換し、前記送信パルスが外部に出力されて反射された受信パルスの周波数をキャリア周波数に変換して前記マッチング素子アレー部に出力する第２の変換部と、
前記送信パルス及び前記受信パルスが通過するマッチング素子アレー部と、
前記マッチング素子アレー部を通過した前記送信パルス及び前記受信パルスからパルス情報を抽出し、前記パルス情報を利用してマッチングインピーダンス値を算出する抽出／算出部とを備える、インピーダンスマッチング装置。
【請求項２】
前記第１の変換部及び前記第２の変換部を制御して、チャンネルグループ情報を設定する変換制御部をさらに備える、請求項１に記載のインピーダンスマッチング装置。
【請求項３】
前記第１の変換部及び前記第２の変換部は、前記チャンネルグループ情報によって前記送信パルス及び前記受信パルスの周波数を変換する、請求項２に記載のインピーダンスマッチング装置。
【請求項４】
前記パルス情報は、前記送信パルス及び前記受信パルスの振幅、位相、及び周波数を含む、請求項１に記載のインピーダンスマッチング装置。
【請求項５】
前記抽出／算出部は、前記送信パルス及び前記受信パルスのそれぞれに対して前記パルス情報に対応するインピーダンス値を算出し、前記送信パルスに対して前記受信パルスの回答特性が最も優れたインピーダンス値を前記マッチングインピーダンス値で算出する、請求項１に記載のインピーダンスマッチング装置。
【請求項６】
前記マッチング素子アレー部は、マッチング素子アレーが集積されたプログラマブルデバイス（Ｐｒｏｇｒａｍｍａｂｌｅ  Ｄｅｖｉｃｅ）である、請求項１に記載のインピーダンスマッチング装置。
【請求項７】
前記マッチングインピーダンス値によって前記マッチング素子アレー部をルーティングするアレー制御部をさらに備える、請求項１に記載のインピーダンスマッチング装置。
【請求項８】
前記アレー制御部は、前記マッチングインピーダンス値によってマッチング素子の構成及び連結関係を決定し、前記構成及び連結関係によってマトリックスコード（Ｍａｔｒｉｘ  Ｃｏｄｅ）を生成し、前記マトリックスコードを前記マッチング素子アレー部にダウンロードさせて前記マッチング素子アレー部をルーティングする、請求項７に記載のインピーダンスマッチング装置。
【請求項９】
送信パルスの周波数をキャリア周波数に変換する段階と、
前記送信パルスをマッチング素子アレー部に出力する段階と、
前記マッチング素子アレー部を通過する前記送信パルスからパルス情報を抽出する段階と、
前記マッチング素子アレー部を通過した前記送信パルスのキャリア周波数を元の周波数に変換して外部に出力する段階と、
前記外部から前記送信パルスに対する受信パルスを受信する段階と、
前記受信パルスの周波数をキャリア周波数に変換する段階と、
前記受信パルスを前記マッチング素子アレー部に出力する段階と、
前記マッチング素子アレー部を通過する前記受信パルスからパルス情報を抽出する段階と、
前記送信パルス及び前記受信パルスのパルス情報を利用してマッチングインピーダンス値を算出する段階とを備える、インピーダンスマッチング方法。
【発明の詳細な説明】
【技術分野】
【０００１】
本発明は、半導体装置のデータ出力分野に関し、特に半導体装置のデータ出力端に位置し、内部データを外部に提供するオフチップドライバ回路の可変インピーダンスコントロールに関する。
【背景技術】
【０００２】
電気的製品の作動スピードが高速化されることによって、半導体装置間にインターフェースされる信号のスイング幅が徐々に減少している。その理由は、信号伝逹にかかる遅延時間を最小限にするためである。しかしながら、信号のスイング幅が減少するほど外部ノイズに対する影響が増加し、インターフェース端においてインピーダンスのミスマッチング（ｍｉｓｓ  ｍａｔｃｈｉｎｇ、不整合）による出力信号の反射も重要になる。
【０００３】
前記インピーダンスのミスマッチングは、外部のノイズ又は電源電圧の変動、作動温度の変化、製造工程の変化等に起因して発生される。インピーダンスのミスマッチングが発生すれば、データの高速送信が困難になり、半導体装置のデータ出力端から出力される出力信号としてのデータが歪曲され得る。従って、受信側の半導体装置が前記歪曲された出力信号を入力端にて受信するとき、セットアップ／ホールドペール又は入力レベルの判断ミス等の問題が頻繁に起こり得る。
【０００４】
自動インピーダンスマッチングシステムを適用するために必ず求められるＲ−Ｌ−Ｃを効果的に集積させ得る技術が求められる。しかしながら、超音波装置の場合、２０〜４０ＭｈｚのＬｏｗ周波数の帯域を用いるため、Ｒ−Ｌ−Ｃ値を集積するときに、受動素子の値が大きいため、半導体の大面積を占める。しかしながら、集積技術には、限界があり、各チャンネル別に可変する素子値をオンボードにて提供することが困難である。
【０００５】
しかしながら、システムが小型化し、Ｒ−Ｌ−Ｃマッチングに求められる素子値も相対的に低減している。従って、各素子値が低減し、これに求められるインピーダンスマッチング機能をシステム又は各ノード間の有機的な状況で値を決定するようになれば、全体システムの性能を最大限に向上させることができる。
【発明の概要】
【発明が解決しようとする課題】
【０００６】
本発明は、インピーダンスマッチング装置の入力又は出力端に周波数変換部を追加することによって、Ｒ−Ｌ−Ｃを効果的に集積させるインピーダンスマッチング装置及び方法を提供する。
【課題を解決するための手段】
【０００７】
本発明に係るインピーダンスマッチング装置は、
送信パルスの周波数をキャリア周波数に変換してマッチング素子アレー部に出力する第１の変換部と、
前記マッチング素子アレー部を通過した前記送信パルスのキャリア周波数を元の周波数に変換し、前記送信パルスが外部に出力されて反射された受信パルスの周波数をキャリア周波数に変換して前記マッチング素子アレー部に出力する第２の変換部と、
前記送信パルス及び前記受信パルスが通過するマッチング素子アレー部と、
前記マッチング素子アレー部を通過した前記送信パルス及び前記受信パルスからパルス情報を抽出し、前記パルス情報を利用してマッチングインピーダンス値を算出する抽出／算出部とを備える。
本発明に係るインピーダンスマッチング方法は、
送信パルスの周波数をキャリア周波数に変換する段階と、
前記送信パルスをマッチング素子アレー部に出力する段階と、
前記マッチング素子アレー部を通過する前記送信パルスからパルス情報を抽出する段階と、
前記マッチング素子アレー部を通過した前記送信パルスのキャリア周波数を元の周波数に変換して外部に出力する段階と、
前記外部から前記送信パルスに対する受信パルスを受信する段階と、
前記受信パルスの周波数をキャリア周波数に変換する段階と、
前記受信パルスを前記マッチング素子アレー部に出力する段階と、
前記マッチング素子アレー部を通過する前記受信パルスからパルス情報を抽出する段階と、
前記送信パルス及び前記受信パルスのパルス情報を利用してマッチングインピーダンス値を算出する段階とを備える。
【０００８】
また、他の態様に係るインピーダンスマッチング装置は、システムから出力された送信パルス及び前記送信パルスが外部に出力後に反射された受信パルスが通過するマッチング素子アレーから構成されたマッチング素子アレー部と、前記送信パルス及び前記受信パルスから前記パルス情報を抽出し、前記送信パルス及び前記受信パルスのそれぞれに対して前記パルス情報に相当するインピーダンス値を算出して、前記送信パルスに対して前記受信パルスの回答特性が最も優れたインピーダンス値をマッチングインピーダンス値で算出する抽出／算出部と、前記マッチングインピーダンス値によって前記マッチング素子アレー部をルーティングするアレー制御部と、前記送信パルスの周波数をキャリア周波数に変換して前記マッチング素子アレー部に出力する第１の変換部と、前記マッチング素子アレー部で出力されるキャリア周波数を低周波数に変換する第２の変換部と、前記第１の変換部及び第２の変換部の周波数変換を制御する信号を出力する変換制御部とを備える。
また、他の態様に係るインピーダンスマッチング方法は、入力される送信パルスを予め設定されたキャリア周波数に変換してマッチング素子アレーに入力させる段階と、前記マッチング素子アレーを通過する送信パルスからパルス情報を抽出する段階と、前記マッチング素子アレーを通過した送信パルスをキャリア周波数から元の周波数に変換して外部に出力する段階と、前記送信パルスに対する受信パルスを受信する段階と、前記受信パルスをキャリア周波数に変換する前記マッチング素子アレーに入力させる段階と、前記マッチング素子アレーを通過する受信パルスからパルス情報を抽出する段階と、前記送信パルス及び前記受信パルスのパルス情報を利用してマッチングインピーダンス値を算出する段階と、前記マッチングインピーダンス値によって前記送信パルス及び前記受信パルスが通過するマッチング素子アレーをルーティングする段階とを備える。
【発明の効果】
【０００９】
本発明は、インピーダンスマッチングをするために必ず求められるＲ−Ｌ−Ｃ素子値を低くするために、ソースの入力端又は出力端に周波数変換部を追加することによって、Ｒ−Ｌ−Ｃを効果的に集積させてＰＬＤ（Ｐｒｏｇｒａｍｍａｂｌｅ  Ｌｏｇｉｃ  Ｄｅｖｉｃｅ）を設けることができる。
【００１０】
また、本発明では、既存の超音波サンプリング周波数範囲内で作動するプローブとシステムとの間のインピーダンスマッチングのためのＲ−Ｌ−Ｃ集積技術の限界を克服することができる。
【図面の簡単な説明】
【００１１】
【図１】本発明の一実施形態によるインピーダンスマッチング装置の構成図である。
【図２】本発明によるインピーダンスマッチング装置が超音波システムに適用された一例を示した構成図である。
【図３】本発明の一実施形態によるインピーダンスマッチング方法を説明するためのフローチャートである。
【発明を実施するための形態】
【００１２】
本発明は、様々な変更を加えることができ、また様々な実施形態を有することができるが、特定の実施形態を図面に例示し、詳細な説明において詳しく説明する。しかしながら、これは本発明を特定の実施形態に限定するためのものではなく、本発明の思想及び技術範囲に含まれるすべての変換、均等物乃至代替物を含むものとして理解されなければならない。
【００１３】
本発明の説明において、本発明に係る公知技術に関する具体的な説明が本発明の要旨をかえって不明確にする可能性があると判断される場合は、その詳細な説明を省略することにする。また、本明細書の説明過程において用いられる数字は、一つの構成要素を他の構成要素と区分するための識別記号に過ぎない。
【００１４】
また、本明細書において、一構成要素が異なる他の構成要素と「結合される」又は「続される」等と記載されたときには、前記一構成要素が前記他の構成要素と直接結合又は接続され得るが、特にそれを否定し得る記載が存在しない以上、その間にまた他の構成要素を媒介として結合又は接続され得ると理解されたい。
【００１５】
以下、本発明の実施形態を添付した図面を参照して詳しく説明する。本発明を説明することにおいて全体的な理解を容易にするために図面番号に係わらず、同一の手段については、同一の参照符号を用いる。
【００１６】
図１は、本発明の一実施形態によるインピーダンスマッチング装置の構成図である。
【００１７】
図２は、本発明によるインピーダンスマッチング装置が超音波システムに適用された一例を示した構成図である。
【００１８】
図１を参照すると、インピーダンスマッチング装置１００は、システム１と入出力部２との間に位置し、入出力部２に送信される送信信号及び入出力部２から受信される受信信号を利用してインピーダンスマッチングを遂行する。
【００１９】
システム１は、一例として、図２に示された超音波システムのパルス発生装置１０となり得、媒質（例えば、診断又は治療のための身体部位）によって診断用又は治療用送信パルス（Ｔｘ  ｐｕｌｓｅ）又は信号が発生する。
【００２０】
入出力部２に該当する探針子は、内部信号又は外部信号、或いは情報を送信又は受信する装置である。一例として、図２に示されたように、超音波の場合、プローブに該当することができ、媒質への超音波送信及び媒質からエコー（ｅｃｈｏ）信号を受信する。この際、超音波プローブは、電気的信号を超音波に変換するためのエレメント（ｅｌｅｍｅｎｔ；圧電素子、音波発生素子）の配列で構成され、エレメントは、ＲＦチャンネルを構成する。ＭＲＩの場合、コイルと、受信部回路部とから構成される。この際、探針子は、第１の変換部１５０を備えることになり、回路構成によって、探針子に備えられる回路の領域であるコネクター位置は変更され得る。
【００２１】
そして、プローブ２０は、内部に装着され、超音波信号と電気信号とを交互変換するトランスデューサ（ｔｒａｎｓｄｕｃｅｒ；変換器）を備え、一般的にトランスデューサは、多数の超音波振動子の集合体を備えることができる。例えば、プローブ２０は、パルス発生装置１０が発生した送信パルスを超音波信号に変換して人体の診断又は治療部位に超音波を放射した後、その反射された超音波信号を電気信号に変換して画像処理装置（図示しない）に送信し、画像処理装置は、受信された信号を利用して映像を生成することができる。この際、プローブ２０の各チャンネル別における特性インピーダンス値は、製造スペックによって決定される。或いは、入出力部２は、ＭＲＩのコイル及び受信部となり得る。
【００２２】
本発明で記載された図１のインピーダンスマッチングシステム構造図において、超音波の場合、パルス発生装置及び第２の変換部は、プローブ内部に構成され得、インピーダンスマッチング特性を向上させるために、それぞれの機能ブロックの構成位置は、システム又はプローブ端にそれぞれ位置され得る。
【００２３】
本発明において、インピーダンスマッチング装置１００に入力されるパルスの周波数が低周波数である場合、Ｌの値が大きくなる。従って、本発明では、高周波数のキャリア送信端を追加することによって、システム１と入／出力部２とのインピーダンスマッチング効率が高くなる。このようなキャリア送信端は、インピーダンスマッチング装置１００に入力される周波数を高周波数に変換させる機能を遂行する。従って、本発明によって、図１に示されたように、インピーダンスマッチング装置１００の入力／出力端にそれぞれ変換部１１０、１５０がさらに備えられる。
【００２４】
インピーダンスマッチング装置１００は、詳しくは、第１の変換部１１０と、マッチング素子アレー部１２０と、アレー制御部１３０と、抽出／算出部１４０と、第２の変換部１５０と、変換制御部１６０とを備える。
【００２５】
変換部１１０、１２０は、第１の変換部１１０と第２の変換部１２０とに区分され、それぞれがＴｘ／Ｒｘ状態に応じて変調又は復調機能及びキャリア周波数可変機能、チャンネルグループ設定及び解除機能を遂行する。
【００２６】
第１の変換部１１０がＴｘ機能を遂行するときは、変換部制御部１６０の情報（キャリア周波数、変調／復調制御情報のような変換部機能を遂行するために求められる制御情報及びチャンネルグループ情報）によって、システム１に提供されたパルス（又は信号）情報又はシステム特性情報（探針子の情報を含む）をキャリア周波数に提供するために、キャリア周波数可変機能及び変造機能を遂行する。この時、Ｔｘ信号は、第１の変換部１１０のキャリア周波数に提供され、マッチング素子アレー部１２０を通過し、さらに、第２の変換部１５０で該当のキャリア周波数に送信されたＴｘ情報を復元後に再び入出力２（探針子）部に送信する。また、第１の変換部１１０及び第２の変換部１５０が送信／受信（Ｔｘ／Ｒｘ）機能を遂行するとき、マッチング素子アレー部１２０のＲ−Ｌ−Ｃ素子の使用個数を低減するために、チャンネルのグループを設定してキャリア周波数に信号を提供し、インピーダンスマッチング素子アレー部１２０に送信し得る。
【００２７】
前記第１の変換部１１０がマッチング素子アレー部１２０で受信（Ｒｘ）作動するときには、変換制御部１６０で設定されたチャンネルグループ設定情報によってキャリア周波数に受信された情報を復元してシステム１に伝達する機能を果たす。
【００２８】
前記第１の変換部１１０及び第２の変換部１５０は、キャリア送信端と表記することができ、キャリア送信端は、変換制御部１６０の制御情報によって、入出力部２（探針子）のチャンネルグループを設定することができる。この際、設定されたチャンネルのグループの個数によって、インピーダンスマッチング素子の使用個数が変更され得る。チャンネルのグループは、送信帯域、送信率、インピーダンス特性、及びこれによるシステム性能改善要求事項に応じて変換制御部１６０によって制御される。
【００２９】
前記変換制御部１６０は、診断及び治療装置のリソース（超音波、電磁気場等）及び該当のシステムの特性に適合するように、キャリア周波数の固定又は可変が求められる場合、第１の変換部１１０、第２の変換部１５０のそれぞれを制御するための機能及び探針子（プローブ）チャンネル情報を独立して送信するか、或いはグループ設定によって送信するように制御機能を遂行する。
【００３０】
前記のように、第１の変換部１１０は、システム１の出力端に結合され、システム１から出力されるパルス信号をキャリア周波数に変換して出力する。従って、マッチング素子アレー部１２０のＬの値が減少する。
【００３１】
前記のマッチング素子アレー部１２０は、Ｒ−Ｌ−Ｃのインピーダンスマッチング素子のアレー（ａｒｒａｙ）で構成され、マトリックススイッチングを通じてアレー制御部１３０の入力情報によって、入出力部２（探針子）とシステム１とをマッチングさせる機能を遂行する。この際に、インピーダンスマッチング素子アレー部１２００は、キャリア送信端である第１の変換部１１０と第２の変換部１５０とのチャンネルグループ設定情報に適合するように、インピーダンスマッチング機能が遂行される。アレー制御部１３０は、第１の変換部１１０及び第２の変換部１５０の状態情報、及び送信／受信情報を抽出／算出部１４０からマッチングインピーダンス値を伝達され、マッチングインピーダンス値によってマッチング素子アレー部１２０のマッチング素子アレーをルーティングする。例えば、アレー制御部１３０は、マッチングインピーダンス値によってＲＬＣ素子の構成及び連結関係を決定し、これによるマトリックスコード（Ｍａｔｒｉｘ  Ｃｏｄｅ）を生成し得る。次いで、アレー制御部１３０は、生成したマトリックスコードをマッチング素子アレー部１２０にダウンロードさせることによって、マッチング素子アレー部１２０がマッチングインピーダンス値によってマッチング素子アレーをルーティングするように制御し得る。
【００３２】
超音波では、一般的にＲ−Ｃを固定させ、Ｌ値を可変してインピーダンス値をマッチングさせる。そして、一般的なインピーダンスマッチングは、電力伝達及び電力出力の方向によって、それぞれがマッチングを行うが、超音波では、送信パルスライン及び受信パルスラインを同様に用いているため、各チャンネル別にパルスエコー情報の効率を重要にしているのみならず、全体チャンネルの均一性（各チャンネルのパルスエコー特性を均一に揃える）が画像特性に大きい影響を及ぼす。
【００３３】
また、アレー制御部１３０は、システム１が送信パルスを発生する前にマッチング素子アレー部１２０を初期化することができる。例えば、アレー制御部１３０は、予め設定された固定インピーダンス値によってマッチング素子アレー部１２０のマッチング素子アレーをルーティングすることができる。又は、アレー制御部１３０は、抽出／算出部１４０が確認されたパルス情報によってインピーダンス値を算出するように制御し、算出されたインピーダンス値によってマッチング素子アレーがルーティングされるように制御することができる。
【００３４】
抽出／算出部１４０は、送信パルス及び受信パルスからパルス情報を抽出する。例えば、抽出／算出部１４０は、マッチング素子アレー部１２０を通過する送信パルス及び受信パルスの振幅、位相、及び周波数を測定することができ、これによって、各チャンネルの周波数回答特性及び感度（Ｓｅｎｓｉｔｉｖｉｔｙ）及びダイナミックレンジ（Ｄｙｎａｍｉｃ  Ｒａｎｇｅ）を含むパルス情報を抽出することができる。
【００３５】
また、抽出／算出部１４０は、前記抽出された送信パルス及び受信パルスのパルス情報を伝達され、マッチングインピーダンス値を算出する。例えば、抽出／算出部１４０は、送信パルス及び受信パルスのそれぞれに対して振幅情報、位相情報、及び周波数情報に相当するインピーダンス値を算出し、送信パルスに対して受信パルスの回答特性が最も優れたインピーダンス値をマッチングインピーダンス値で算出することができる。一般的に超音波では、感度が高く、ダイナミックレンジが広く、中心周波数（ｃｅｎｔｅｒ  ｆｒｅｑｕｅｎｃｙ）を中心にした広帯域で周波数の回答特性が優れる。
【００３６】
第２の変換部１５０は、マッチング素子アレー部１２０から出力されるキャリア周波数を、元の送信パルスに復元して入出力部２に出力し、入出力部２から受信された信号をキャリア周波数に変換する。
【００３７】
第２の変換部１５０がＴｘ機能を遂行するときは、マッチング素子アレー部１２０で受信された情報を変換制御部１６０のチャンネルグループ情報及び制御情報によって、キャリア信号からＴｘ信号（又は情報）を復元し、復元されたＴｘ信号を入出力部２（探針子）に伝達する。
【００３８】
第２の変換部１５０がＲｘ機能を遂行するときは、変換制御部１６０の制御情報（キャリア周波数、グループ設定等）によって、入出力部２（探針子）から受信された情報を変換してインピーダンスマッチング素子アレー部１２０に伝達する。
【００３９】
変換制御部１６０は、第１の変換部１１０及び第２の変換部１５０を制御する制御部であって、システム（超音波／ＭＲＩ、又は媒質特性、損失率等）１の特性によって第１の変換部１１０及び第２の変換部１５０のキャリア周波数を制御し、チャンネルグループを設定する。
【００４０】
図３は、本発明の一実施形態よるインピーダンスマッチング方法を説明するためのフローチャートである。
【００４１】
段階３１０において、インピーダンスマッチング装置１００には、システム１から発生された送信パルスが入力される。発生された送信パルスは、インピーダンスマッチング装置１００のマッチング素子アレー部１２０を通過して入出力部２に伝達され、この送信パルスが媒質に反射入出力部２を通じて受信されれば、受信パルスが入出力部２から伝達され、マッチング素子アレー部１２０を通過して受信される。
【００４２】
この際、段階３２０において、インピーダンスマッチング装置１００は、システム１で出力される送信パルスをキャリア周波数に変換してマッチング素子アレー部１２０を通過させる。
【００４３】
段階３３０において、インピーダンスマッチング装置１００は、マッチング素子アレー部１２０を通過する送信パルスのパルス情報を抽出する。すなわち、送信パルスの振幅、位相、及び周波数を測定することができる。
【００４４】
そして、段階３４０において、キャリア周波数で入出力部２にて出力可能な周波数に変換された送信パルスに変換し、段階３５０において送信パルスを出力する。
【００４５】
従って、入出力部２は、送信パルスを媒質に出力し、媒質から反射された受信パルスを受信して出力する。
【００４６】
段階３６０において、インピーダンスマッチング装置１００は、入出力部２から出力される受信パルスを受信し、段階３７０において、受信パルスの周波数をキャリア周波数に変換してマッチング素子アレー部１２０を通過させる。
【００４７】
そして、段階３８０において、インピーダンスマッチング装置１００は、マッチング素子アレー部１２０を通過する受信パルスのパルス情報を抽出する。すなわち、受信パルスの振幅、位相、及び周波数を測定することができる。
【００４８】
段階３９０において、インピーダンスマッチング装置１００は、前記抽出された送信パルス及び受信パルスのパルス情報を利用してマッチングインピーダンス値を算出する。例えば、インピーダンスマッチング装置１００は、送信パルス及び受信パルスのそれぞれに対して振幅情報、位相情報、及び周波数情報に相当するインピーダンス値を算出し、送信パルスに対して受信パルスの回答特性が最も優れたインピーダンス値をマッチングインピーダンス値で算出することができる。
【００４９】
そして、段階４００において、インピーダンスマッチング装置１００は、算出されたマッチングインピーダンス値によってマッチング素子アレー部１２０のマッチング素子アレーをルーティングする。
【００５０】
例えば、インピーダンスマッチング装置１００は、マッチングインピーダンス値によってＲＬＣ素子の構成及び連結関係を決定し、これによるマトリックスコード（Ｍａｔｒｉｘ  Ｃｏｄｅ）を生成することができる。次いで、インピーダンスマッチング装置１００は、生成したマトリックスコードをマッチング素子アレー部１２０にダウンロードすることによって、マッチングインピーダンス値に応じて、マッチング素子アレー部１２０のマッチング素子アレーをルーティングすることができる。
【００５１】
一方、本発明の実施形態によるインピーダンスマッチング方法は、電子的に情報を処理する多様な手段によって遂行され得るプログラム命令形態であり、保存媒体に記録され得る。保存媒体は、プログラム命令、データファイル、データ構造等を単独で或いは組み合わせて備えることができる。
【００５２】
保存媒体に記録されるプログラム命令は、本発明のために特別に設計及び構成されたもの又はソフトウェア分野の当業者に公知のものであり、使用可能なものであり得る。保存媒体の例としては、ハードディスク、プロッピィーディスク、及び磁気テープのような磁気媒体（ｍａｇｎｅｔｉｃ  ｍｅｄｉａ）、ＣＤ−ＲＯＭ、ＤＶＤのような光記録媒体（ｏｐｔｉｃａｌ  ｍｅｄｉａ）、フロプティカルディスク（ｆｌｏｐｔｉｃａｌ  ｄｉｓｋ）のような磁気−光媒体（ｍａｇｎｅｔｏ−ｏｐｔｉｃａｌ  ｍｅｄｉａ）、及びロム（ＲＯＭ）、ラム（ＲＡＭ）、フラッシュメモリー等のようなプログラム命令を保存して遂行するように特別に構成されたハードウェア装置が含まれる。また、上述の媒体は、プログラム命令、データ構造等を指定する信号を送信する搬送波を含む光又は金属線、導波管等の送信媒体であり得る。プログラム命令の例としては、コンパイラーによって作られるものと同様の機械語コードのみならず、インタプリター等を用いて電子的に情報を処理する装置、例えば、コンピューターによって実行され得る高級言語コードを含む。
【００５３】
上述のハードウェア装置は、本発明の作動を遂行するために、一種以上のソフトウェアモジュールとして作動するように構成され得、その逆の場合も同様である。
【図１】
0005946957.tif 000002
【図２】
0005946957.tif 000003
【図３】
0005946957.tif 000004